(57)【要約】【課題】ユーザによるコンテンツの登録を支援する。【解決手段】  本発明の一実施形態に係るコンテンツ表示装置１０は、コンテンツ配信サーバ３０が配信するコンテンツを受信して、当該受信したコンテンツを表示する。当該コンテンツ表示装置１０は、コンテンツ表示アプリケーション４０の実行に応じて、コンテンツを表示する処理と、オペレーティングシステム５０を介してスクリーンショットの撮影を検出したときに、コンテンツをお気に入りのコンテンツとして登録する処理と、を実行する。【選択図】図１
2017146712.tif 000002
【特許請求の範囲】
【請求項１】
コンテンツを表示するためのプログラムであって、
コンピュータに、
コンテンツを表示する処理と、
前記プログラムとは異なる他のプログラムを介して所定のイベントを検出したときに、前記コンテンツを所定の分類のコンテンツとして登録する処理と、を実行させる、
プログラム。
【請求項２】
前記表示する処理は、
複数のコンテンツを一覧表示する処理と、
前記複数のコンテンツの中からユーザによって特定された特定コンテンツを個別表示する処理と、を含み、
前記登録する処理は、前記特定コンテンツが個別表示されている状態で前記他のプログラムを介して前記所定のイベントを検出したときに、前記特定コンテンツを前記所定の分類のコンテンツとして登録する、
請求項１のプログラム。
【請求項３】
前記登録する処理は、前記コンテンツをお気に入りのコンテンツとして登録する請求項１又は２のプログラム。
【請求項４】
前記所定のイベントは、スクリーンショットの撮影を含む請求項１ないし３何れかのプログラム。
【請求項５】
前記所定のイベントは、前記コンピュータのシェイク動作を含む請求項１ないし４何れかのプログラム。
【請求項６】
前記他のプログラムは、オペレーティングシステムを含む請求項１ないし５何れかのプログラム。
【請求項７】
前記表示する処理は、前記所定の分類のコンテンツとして登録する登録指示をユーザから受け付ける第１のオブジェクトを表示し、
前記登録する処理は、前記所定のイベントを検出したときに加えて、前記第１のオブジェクトを介して前記登録指示を受け付けたときに、前記コンテンツを前記所定の分類のコンテンツとして登録する、
請求項１ないし６何れかのプログラム。
【請求項８】
前記第１のオブジェクトは、前記コンテンツの前記所定の分類のコンテンツとしての登録の有無を示す請求項７のプログラム。
【請求項９】
前記表示する処理は、前記所定の分類のコンテンツとして登録されている登録コンテンツ数を示す第２のオブジェクトを表示する請求項１ないし８何れかのプログラム。
【請求項１０】
前記登録する処理は、所定の視覚効果を伴って前記第２のオブジェクトが示す前記登録コンテンツ数を増加させる請求項９のプログラム。
【請求項１１】
コンテンツを表示するためのコンテンツ表示装置であって、
第１のプログラムの実行に応じて、
コンテンツを表示する処理と、
前記第１のプログラムとは異なる第２のプログラムを介して所定のイベントを検出したときに、前記コンテンツを所定の分類のコンテンツとして登録する処理と、を実行する、
コンテンツ表示装置。
【請求項１２】
第１のプログラムを実行するコンピュータによって、コンテンツを表示するためのコンテンツ表示方法であって、
コンテンツを表示する工程と、
前記第１のプログラムとは異なる第２のプログラムを介して所定のイベントを検出したときに、前記コンテンツを所定の分類のコンテンツとして登録する工程と、を備える、
コンテンツ表示方法。
【発明の詳細な説明】
【技術分野】
【０００１】
本発明は、コンテンツを表示するためのプログラム、装置、及び方法に関するものである。
【背景技術】
【０００２】
従来、スマートフォン等のユーザ端末を操作するユーザが、ニュース、レストラン情報、及び求人情報等のデジタルコンテンツを閲覧するためのアプリケーションが提供されている。こうしたアプリケーションにおいて、一般に、ユーザは、対応するメニュを選択すること等によって、一覧表示されているコンテンツの中に含まれる興味を有するコンテンツ（例えば、後から再度閲覧したいコンテンツ）に対して「お気に入り」等の分類を付与することができるようになっている（例えば、特許文献１を参照）。ユーザは、例えば、後から再度閲覧したいコンテンツ等をお気に入りとして登録することができる。
【先行技術文献】
【特許文献】
【０００３】
【特許文献１】特開２０１４−１５７５１３号公報
【発明の概要】
【発明が解決しようとする課題】
【０００４】
しかしながら、上述した従来のアプリケーションでは、コンテンツをお気に入りとして登録するためには、当該アプリケーションにおいて対応するメニュを選択する等の個別の操作が必要となり、当該個別の操作を煩わしいと感じるユーザも存在する。従って、こうした個別の操作をすることなく、ユーザが、簡易にコンテンツの登録を行えるようにすることが望まれている。
【０００５】
本発明は、ユーザによるコンテンツの登録を支援することを目的の１つとする。本発明の他の目的は、本明細書全体を参照することにより明らかとなる。
【課題を解決するための手段】
【０００６】
本発明の実施形態に係るプログラムは、コンテンツを表示するためのプログラムであって、コンピュータに、コンテンツを表示する処理と、前記プログラムとは異なる他のプログラムを介して所定のイベントを検出したときに、前記コンテンツを所定の分類のコンテンツとして登録する処理と、を実行させる。
【０００７】
この構成によれば、コンテンツを表示するプログラムとは異なる他のプログラムを介して所定のイベントを検出したときに、コンテンツを所定の分類のコンテンツとして登録することができる。この結果、ユーザは、コンテンツを表示するプログラムにおいて対応するメニュを選択する等の個別の操作をすることなく、コンテンツを所定の分類のコンテンツとして登録することができる。
【０００８】
また、上記プログラムにおいて、前記表示する処理は、複数のコンテンツを一覧表示する処理と、前記複数のコンテンツの中からユーザによって特定された特定コンテンツを個別表示する処理と、を含み、前記登録する処理は、前記特定コンテンツが個別表示されている状態で前記他のプログラムを介して前記所定のイベントを検出したときに、前記特定コンテンツを前記所定の分類のコンテンツとして登録する、ように構成することができる。こうすれば、所定のイベントを検出したときに個別表示されている特定コンテンツを所定の分類のコンテンツとして登録することができる。
【０００９】
さらに、上記プログラムにおいて、前記登録する処理は、前記コンテンツをお気に入りのコンテンツとして登録する、ように構成することができる。こうすれば、コンテンツをお気に入りのコンテンツとして登録することができる。
【００１０】
また、上記プログラムにおいて、前記所定のイベントは、スクリーンショットの撮影、及び、前記コンピュータのシェイク動作の少なくとも一方を含む、ように構成することができる。こうすれば、スクリーンショットの撮影、及び／又は、シェイク動作を契機としてコンテンツを登録することができる。
【００１１】
さらに、上記プログラムにおいて、前記他のプログラムは、オペレーティングシステムを含む、ように構成することができる。こうすれば、オペレーティングシステムを介して検出される様々なイベントを契機としてコンテンツを登録することができる。
【００１２】
また、上記プログラムにおいて、前記表示する処理は、前記所定の分類のコンテンツとして登録する登録指示をユーザから受け付ける第１のオブジェクトを表示し、前記登録する処理は、前記所定のイベントを検出したときに加えて、前記第１のオブジェクトを介して前記登録指示を受け付けたときに、前記コンテンツを前記所定の分類のコンテンツとして登録する、ように構成することができる。こうすれば、所定のイベントを検出したときに加えて、ユーザからの登録指示に応じてコンテンツを登録することができる。この場合において、前記第１のオブジェクトは、前記コンテンツの前記所定の分類のコンテンツとしての登録の有無を示す、ように構成することもできる。こうすれば、ユーザから登録指示を受け付ける第１のオブジェクトを介して、コンテンツの登録の有無をユーザに知らせることができる。
【００１３】
さらに、上記プログラムにおいて、前記表示する処理は、前記所定の分類のコンテンツとして登録されている登録コンテンツ数を示す第２のオブジェクトを表示する、ように構成することができる。こうすれば、第２のオブジェクトを介して登録コンテンツ数をユーザに知らせることができる。この場合において、前記登録する処理は、所定の視覚効果を伴って前記第２のオブジェクトが示す前記登録コンテンツ数を増加させる、ように構成することもできる。こうすれば、第２のオブジェクトを介して、登録コンテンツ数をユーザに知らせることができる。
【００１４】
本発明の実施形態に係るコンテンツ表示装置は、第１のプログラムの実行に応じて、コンテンツを表示する処理と、前記第１のプログラムとは異なる第２のプログラムを介して所定のイベントを検出したときに、前記コンテンツを所定の分類のコンテンツとして登録する処理と、を実行する。
【００１５】
この構成によれば、コンテンツを表示する第１のプログラムとは異なる第２のプログラムを介して所定のイベントを検出したときに、コンテンツを所定の分類のコンテンツとして登録することができる。この結果、ユーザは、コンテンツを表示するプログラムにおいて対応するメニュを選択する等の個別の操作をすることなく、コンテンツを所定の分類のコンテンツとして登録することができる。
【００１６】
本発明の実施形態に係るコンテンツ表示方法は、第１のプログラムを実行するコンピュータによって、コンテンツを表示するためのコンテンツ表示方法であって、コンテンツを表示する工程と、前記第１のプログラムとは異なる第２のプログラムを介して所定のイベントを検出したときに、前記コンテンツを所定の分類のコンテンツとして登録する工程と、を備える。
【００１７】
この構成によれば、コンテンツを表示する第１のプログラムとは異なる第２のプログラムを介して所定のイベントを検出したときに、コンテンツを所定の分類のコンテンツとして登録することができる。この結果、ユーザは、コンテンツを表示するプログラムにおいて対応するメニュを選択する等の個別の操作をすることなく、コンテンツを所定の分類のコンテンツとして登録することができる。
【発明の効果】
【００１８】
本発明の様々な実施形態は、ユーザによるコンテンツの登録を支援する。
【図面の簡単な説明】
【００１９】
【図１】本発明の一実施形態に係るコンテンツ表示装置を含むシステムの構成を概略的に例示するブロック図である。
【図２】本発明の一実施形態に係るプログラムとして機能するコンテンツ表示アプリケーションのモジュール構成を概略的に例示する構成図である。
【図３】コンテンツ一覧表示画面を例示する図である。
【図４】お気に入り登録を実行中のコンテンツ一覧表示画面を例示する図である。
【図５】お気に入り登録を実行後のコンテンツ一覧表示画面を例示する図である。
【図６】コンテンツ個別表示画面を例示する図である。
【図７】お気に入り登録を実行中のコンテンツ個別表示画面を例示する図である。
【図８】お気に入り登録を実行後のコンテンツ個別表示画面を例示する図である。
【図９】お気に入りコンテンツ一覧画面を例示する図である。
【図１０】スクリーンショットの撮影が実行されたときの動作を例示するフロー図である。
【発明を実施するための形態】
【００２０】
以下、図面を参照しながら、本発明の実施形態について説明する。
【００２１】
図１は、本発明の一実施形態に係るコンテンツ表示装置１０を含むシステムの構成を概略的に示す構成図である。コンテンツ表示装置１０は、図示するように、インターネット等の通信ネットワーク２０を介してコンテンツ配信サーバ３０に通信可能に接続されている。コンテンツ表示装置１０は、コンテンツ配信サーバ３０が配信するコンテンツを受信して、当該受信したコンテンツを表示する。本実施形態におけるコンテンツは、特に限定されないが、ニュース記事、レストラン情報、求人情報、及び楽曲情報等、様々な種類のコンテンツが含まれ得る。
【００２２】
コンテンツ表示装置１０は、一般的なコンピュータとしての構成を有する。具体的には、コンテンツ表示装置１０は、図１に示すように、ＣＰＵ１１と、ＤＲＡＭ等によって構成されデータやプログラムを一時的に記憶するメインメモリ１２と、ユーザとの間で情報のやり取りを行うユーザインタフェース１３と、有線又は無線の通信を制御する通信インタフェース１４と、磁気ディスク又はフラッシュメモリ等によって構成されデータやプログラムを記憶するストレージ１５と、を備える。ＣＰＵ１１は、ストレージ１５に記憶されているプログラムをメインメモリ１２に読み込んで、当該プログラムに含まれる命令を実行する。
【００２３】
ユーザインタフェース１３は、例えば、キーボード、マウス、及びタッチパネル等の情報入力装置、マイクロフォン等の音声入力装置、カメラ等の画像入力装置、ディスプレイ等の情報出力装置、及びスピーカ等の音声出力装置を含む。通信Ｉ／Ｆ１４は、ネットワークアダプタ等のハードウェア、各種の通信用ソフトウェア、又はこれらの組み合わせとして実装される。
【００２４】
ストレージ１５は、本発明の一実施形態に係るプログラムとして機能するコンテンツ表示アプリケーション４０を記憶する。このアプリケーション４０は、コンテンツ配信サーバ３０が配信するコンテンツを表示するためのプログラムである。アプリケーション４０は、アプリケーションマーケット等からダウンロードされてインストールされており、同じくストレージ１５に記憶されているオペレーティングシステム（ＯＳ）５０上で動作する。コンテンツ表示装置１０（ストレージ１５）には、ＯＳ５０上で動作するアプリケーション４０以外の様々なアプリケーションがインストールされていても良い。
【００２５】
図２は、コンテンツ表示アプリケーション４０のモジュール構成を概略的に示すブロック図である。アプリケーション４０は、図示するように、コンテンツの表示を制御するコンテンツ表示モジュール４０１と、コンテンツのお気に入り登録を制御するお気に入り登録モジュール４０２と、を備える。なお、コンテンツ表示アプリケーション４０は、ここに例示したモジュール以外のモジュールを備えていても良い。
【００２６】
コンテンツ表示モジュール４０１は、コンテンツ表示装置１０に、コンテンツ配信サーバ１０が配信するコンテンツの表示に関する処理を実行させるモジュールである。コンテンツの表示には、複数のコンテンツの一覧表示、複数のコンテンツの中からユーザによって特定されたコンテンツの個別表示、及び、お気に入り登録されているお気に入りコンテンツの一覧表示等が含まれる。お気に入り登録モジュール４０２は、コンテンツ表示装置１０に、コンテンツのお気に入り登録に関する処理を実行させるモジュールである。
【００２７】
次に、このように構成された本実施形態のコンテンツ表示装置１０の動作について説明する。図３は、コンテンツ表示装置１０に表示されるコンテンツ一覧表示画面６０を例示する。コンテンツ一覧表示画面６０は、図示するように、コンテンツを一覧表示する一覧表示領域６２を有する。一覧表示領域６２は、それぞれが個別のコンテンツに関する基本情報を表示すると共に上下方向に並ぶ複数の基本情報領域６２１によって構成されている。各基本情報領域６２１には、白抜きのハートマークの形状を有するお気に入り登録オブジェクト１００（第１のオブジェクト）が配置されている。一覧表示領域６２は、ユーザによる上方向又は下方向へのスワイプ操作等によって、表示されるコンテンツが連続的に切り替わるように構成されている。
【００２８】
また、コンテンツ一覧表示画面６０には、画面の左下隅にお気に入り表示オブジェクト１１０（第２のオブジェクト）が配置されている。このオブジェクト１１０は、一覧表示領域６２の左下隅部分に重ねて表示されており、上記スワイプ操作等によって一覧表示領域６２に表示されるコンテンツが切り替わっても、その表示が維持される。お気に入り表示オブジェクト１１０は、塗りつぶされたハートマーク、及び、お気に入り登録数（図３の例では１２）を表示する。
【００２９】
本実施形態において、基本情報領域６２１には、コンテンツの基本情報が表示される。例えば、コンテンツがアルバイトの求人情報である場合には、基本情報領域６２１には、例えば、求人タイトル、給与情報、アクセス情報（勤務地情報）、及びシフト情報等の情報が表示され得る。
【００３０】
コンテンツ一覧表示画面６０は、基本情報領域６２１に配置されているお気に入り登録オブジェクト１００をユーザが選択すると、対応するコンテンツをお気に入りとして登録できるように構成されている。図４は、お気に入り登録を実行中のコンテンツ一覧表示画面６０を例示する。例えば、図４の一覧表示領域６２において上から二番目に位置する基本情報領域６２１Ａに配置されているお気に入り登録オブジェクト１００Ａをユーザが選択すると、基本情報領域６２１Ａに対応するコンテンツのお気に入り登録が受け付けられて実行される。このとき、図４に示すように、オブジェクト１００Ａが、放物線を描きながらお気に入り表示オブジェクト１１０の位置まで移動するアニメーション表示がなされる。こうしたアニメーション表示は、視覚効果の例示であって、本発明の実施形態において、例示したアニメーション表示以外の様々な視覚効果を適用することができる。
【００３１】
コンテンツのお気に入り登録が実行されると、当該コンテンツを特定可能な情報（例えば、コンテンツのＩＤ、又はコンテンツの情報を格納するＵＲＬ等）が、ストレージ１５又はコンテンツ配信サーバ３０に登録される。
【００３２】
図５は、お気に入り登録オブジェクト１００Ａが選択され、基本情報領域６２１Ａに対応するコンテンツのお気に入り登録が実行された後のコンテンツ一覧表示画面６０を例示する。図示するように、お気に入り登録が実行されると、お気に入り登録オブジェクト１００Ａの表示が、白抜きのハートマークから塗りつぶされたハートマークへと変化する。このように、お気に入り登録オブジェクト１００は、対応するコンテンツのお気に入り登録の有無をユーザに示す。また、図示するように、コンテンツのお気に入り登録が実行された後においては、お気に入り表示オブジェクト１１０が表示するお気に入り登録数がカウントアップされている（図５の例では、１２から１３にカウントアップされている）。
【００３３】
図６は、コンテンツ表示装置１０に表示されるコンテンツ個別表示画面７０の一例である。この画面７０は、コンテンツ一覧表示画面６０の一覧表示領域６２に含まれる複数の基本情報領域６２１のうちの何れか１つをユーザが選択したときに表示され、選択された基本情報領域６２１に対応するコンテンツを個別表示する。コンテンツ個別表示画面７０は、図示するように、タイトル情報領域７２と、個別表示領域７４と、を有する。タイトル情報領域７２には、コンテンツのタイトルが表示されると共に、上述したコンテンツ一覧表示画面６０の基本情報領域６２１と同様に、お気に入り登録オブジェクト１００が配置されている。
【００３４】
本実施形態において、個別表示領域７４には、コンテンツの詳細情報が表示される。例えば、コンテンツがアルバイトの求人情報である場合には、個別表示領域７４には、例えば、上述した求人タイトル、給与情報、アクセス情報、及びシフト情報等の情報に加え、これらの情報のより詳細な情報、及び、その他の情報（社員に対するインタビュー記事、各種の写真等）が表示される。個別表示領域７４は、ユーザによる上方向又は下方向へのスワイプ操作等によって、表示される情報が連続的に切り替わるように構成されている。
【００３５】
また、コンテンツ個別表示画面７０には、上述したコンテンツ一覧表示画面６０と同様に、画面の左下隅にお気に入り表示オブジェクト１１０が配置されている。このオブジェクト１１０は、個別表示領域７４の左下隅部分に重ねて表示されており、コンテンツ一覧表示領域６０と同様に、上記スワイプ操作等によって個別表示領域７４に表示される情報が切り替わっても、その表示が維持される。
【００３６】
コンテンツ個別表示画面７０は、コンテンツ一覧表示画面６０と同様に、タイトル情報領域７２に配置されているお気に入り登録オブジェクト１００をユーザが選択すると、対応するコンテンツ（表示されているコンテンツ）をお気に入りとして登録できるように構成されている。図７は、お気に入り登録を実行中のコンテンツ個別表示画面７０を例示する。お気に入り登録オブジェクト１００をユーザが選択すると、対応するコンテンツのお気に入り登録が受け付けられて実行される。このとき、図７に示すように、コンテンツ一覧表示画面６０と同様に、オブジェクト１００が、放物線を描きながらお気に入り表示オブジェクト１１０の位置まで移動するアニメーション表示がなされる。
【００３７】
図８は、お気に入り登録オブジェクト１００が選択され、対応するコンテンツのお気に入り登録が実行された後のコンテンツ個別表示画面７０を例示する。図示するように、お気に入り登録が実行されると、コンテンツ一覧表示画面６０と同様に、お気に入り登録オブジェクト１００の表示が、白抜きのハートマークから塗りつぶされたハートマークへと変化し、また、お気に入り表示オブジェクト１１０が表示するお気に入り登録数がカウントアップされる（図８の例では、１３から１４にカウントアップされている）。
【００３８】
図９は、コンテンツ表示装置１０に表示されるお気に入りコンテンツ一覧表示画面８０の一例である。この画面８０は、コンテンツ一覧表示画面６０又はコンテンツ個別表示画面７０に配置されているお気に入り表示オブジェクト１１０をユーザが選択したときに表示され、お気に入り登録されているコンテンツを一覧表示する。上述したように、お気に入り登録されているコンテンツを特定可能な情報は、ストレージ１５又はコンテンツ配信サーバ３０に登録されているから、当該情報に基づいて、一覧表示するコンテンツが特定される。
【００３９】
お気に入りコンテンツ一覧表示画面８０は、図示するように、お気に入り登録されているコンテンツを一覧表示する一覧表示領域８２を有する。一覧表示領域８２は、それぞれが個別のコンテンツに関する情報を表示すると共に上下方向に並ぶ複数の基本情報領域８２１によって構成されている。各基本情報領域８２１には、コンテンツの基本情報が表示されると共に、お気に入り登録解除オブジェクト１２０が配置されている。このオブジェクト１２０を選択することによって、ユーザは、対応するコンテンツのお気に入り登録を解除することができる。一覧表示領域８２は、ユーザによる上方向又は下方向へのスワイプ操作等によって、表示されるコンテンツが連続的に切り替わるように構成されている。また、一覧表示領域８２に含まれる複数の基本情報領域８２１のうちの何れか１つをユーザが選択すると、対応するコンテンツを個別表示するコンテンツ個別表示画面７０が表示される。
【００４０】
上述した各画面の表示、及び、お気に入り登録等の動作は、コンテンツ表示装置１０がコンテンツ表示アプリケーション４０を実行することによって制御されている。ここで、コンテンツ表示アプリケーション４０の実行中に、コンテンツ表示装置１０のＯＳ５０の機能を用いてスクリーンショットが撮影された場合の動作について説明する。
【００４１】
図１０は、スクリーンショットの撮影が実行されたときのコンテンツ表示装置１０の動作を例示するフロー図である。スクリーンショットが撮影されると、まず、ＯＳ５０を介してスクリーンショットの撮影を検出する（Ｓ１００）。具体的には、アプリケーション４０とＯＳ５０との間の通信を伴って、コンテンツ表示装置１０は、ＯＳ５０の機能を用いたスクリーンショットの撮影を検出する。
【００４２】
次に、現在のコンテンツの表示態様が個別表示であるか否かを判断する（Ｓ１０２）。具体的には、表示されている画面がコンテンツ個別表示画面７０である場合には個別表示であると判断され、表示されている画面がコンテンツ一覧表示画面６０又はお気に入りコンテンツ一覧表示画面８０である場合には個別表示でないと判断される。
【００４３】
そして、現在のコンテンツの表示態様が個別表示である場合には個別表示されているコンテンツをお気に入りに登録する（Ｓ１０４）。具体的には、コンテンツ個別表示画面７０のお気に入り登録オブジェクト１００をユーザが選択したときと同じ処理が実行される。つまり、対応するコンテンツのお気に入り登録が受け付けられて実行され、オブジェクト１００が、放物線を描きながらお気に入り表示オブジェクト１１０の位置まで移動するアニメーション表示がなされる。
【００４４】
以上説明した本実施形態のコンテンツ表示装置１０は、コンテンツを表示するコンテンツ表示アプリケーション４０とは異なるＯＳ５０を介してスクリーンショットの撮影を検出したときに、コンテンツをお気に入りのコンテンツとして登録することができる。つまり、ユーザは、コンテンツ表示アプリケーション４０において対応するメニュであるお気に入り登録オブジェクト１００を選択する操作をすることなく、コンテンツをお気に入りのコンテンツとして登録することができる。このように、コンテンツ表示装置１０は、ユーザによるコンテンツのお気に入り登録を支援する。
【００４５】
上述した実施形態においては、スクリーンショットの撮影を検出したときにコンテンツを登録するように構成したが、本発明の他の実施形態においては、スクリーンショットの撮影以外の様々なイベントを検出したときにコンテンツを登録するように構成される。例えば、コンテンツ表示装置１０のシェイク動作を検出したときにコンテンツを登録するように構成される。シェイク動作の検出は、スクリーンショットの撮影の検出と同様に、ＯＳ５０を介して行うことができる。しかしながら、スクリーンショットの撮影、及び、シェイク動作は、本発明の実施形態における所定のイベントの例示であって、コンテンツを表示するプログラムとは異なるＯＳ５０等の他のプログラムを介して検出される様々なイベントが、本発明の実施形態における所定のイベントとして適用され得る。例えば、ＯＳ５０以外の他のアプリケーションを介して検出されるイベントもまた、本発明の実施形態における所定のイベントとして適用され得る。
【００４６】
上述した実施形態においては、コンテンツをお気に入りのコンテンツとして登録するように構成したが、本発明の他の実施形態においては、「お気に入り」以外の様々な分類のコンテンツとして登録するように構成される。即ち、「お気に入り」は、本発明の実施形態における所定の分類の例示であって、様々な分類が、本発明の実施形態における所定の分類として適用され得る。
【００４７】
上述した実施形態においては、コンテンツの表示態様が個別表示である場合にコンテンツをお気に入りに登録するように構成したが、本発明の他の実施形態においては、コンテンツの表示態様にかかわらず、スクリーンショットの撮影を検出したときにコンテンツを登録するように構成される。この場合、例えば、コンテンツの表示態様が一覧表示である場合に、一覧表示されている複数のコンテンツの全てをお気に入りに登録するように構成したり、又は、当該複数のコンテンツのうち所定のルールに従って特定される一部のコンテンツをお気に入りに登録するように構成したりすることができる。
【符号の説明】
【００４８】
１０…コンテンツ表示装置、３０…コンテンツ配信サーバ、４０…コンテンツ表示アプリケーション、５０…オペレーティングシステム、６０…コンテンツ一覧表示画面、７０…コンテンツ個別表示画面、８０…お気に入りコンテンツ一覧表示画面、１００…お気に入り登録オブジェクト、１１０…お気に入り表示オブジェクト。
【図１】
2017146712.tif 000003
【図２】
2017146712.tif 000004
【図３】
2017146712.tif 000005
【図４】
2017146712.tif 000006
【図５】
2017146712.tif 000007
【図６】
2017146712.tif 000008
【図７】
2017146712.tif 000009
【図８】
2017146712.tif 000010
【図９】
2017146712.tif 000011
【図１０】
2017146712.tif 000012
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
コンテンツを表示するためのプログラムであって、
コンピュータに、
複数のコンテンツを一覧表示する処理と、
前記複数のコンテンツの中からユーザによって特定された特定コンテンツを個別表示する処理と、
前記特定コンテンツが個別表示されている状態で前記プログラムとは異なる他のプログラムを介してスクリーンショットの撮影イベントを検出したときに、前記個別表示されている特定コンテンツをお気に入りのコンテンツとして登録する処理と、を実行させる、
プログラム。
【請求項２】
前記他のプログラムは、オペレーティングシステムを含む請求項１のプログラム。
【請求項３】
前記個別表示する処理は、前記お気に入りのコンテンツとして登録する登録指示をユーザから受け付ける第１のオブジェクトを表示し、
前記登録する処理は、前記スクリーンショットの撮影イベントを検出したときに加えて、前記第１のオブジェクトを介して前記登録指示を受け付けたときに、前記個別表示されている特定コンテンツを前記お気に入りのコンテンツとして登録する、
請求項１又は２のプログラム。
【請求項４】
前記第１のオブジェクトは、前記コンテンツの前記お気に入りのコンテンツとしての登録の有無を示す請求項３のプログラム。
【請求項５】
前記一覧表示又は個別表示する処理は、前記所定の分類のコンテンツとして登録されている登録コンテンツ数を示す第２のオブジェクトを表示する請求項１ないし４何れかのプログラム。
【請求項６】
前記登録する処理は、所定の視覚効果を伴って前記第２のオブジェクトが示す前記登録コンテンツ数を増加させる請求項５のプログラム。
【請求項７】
コンテンツを表示するためのコンテンツ表示装置であって、
第１のプログラムの実行に応じて、
複数のコンテンツを一覧表示する処理と、
前記複数のコンテンツの中からユーザによって特定された特定コンテンツを個別表示する処理と、
前記特定コンテンツが個別表示されている状態で前記第１のプログラムとは異なる第２のプログラムを介してスクリーンショットの撮影イベントを検出したときに、前記個別表示されている特定コンテンツをお気に入りのコンテンツとして登録する処理と、を実行する、
コンテンツ表示装置。
【請求項８】
第１のプログラムを実行するコンピュータによって、コンテンツを表示するためのコンテンツ表示方法であって、
複数のコンテンツを一覧表示する工程と、
前記複数のコンテンツの中からユーザによって特定された特定コンテンツを個別表示する工程と、
前記特定コンテンツが個別表示されている状態で前記第１のプログラムとは異なる第２のプログラムを介してスクリーンショットの撮影イベントを検出したときに、前記個別表示されている特定コンテンツをお気に入りのコンテンツとして登録する工程と、を備える、
コンテンツ表示方法。
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
コンテンツを表示するためのプログラムであって、
コンピュータに、
複数のコンテンツを一覧表示する処理と、
前記複数のコンテンツの中からユーザによって特定された特定コンテンツを個別表示する処理と、
前記特定コンテンツが個別表示されている状態で前記プログラムとは異なる他のプログラムを介してスクリーンショットの撮影イベントを検出したときに、前記個別表示されている特定コンテンツを特定可能な情報をお気に入りのコンテンツとして登録する処理と、を実行させる、
プログラム。
【請求項２】
前記他のプログラムは、オペレーティングシステムを含む請求項１のプログラム。
【請求項３】
前記個別表示する処理は、前記お気に入りのコンテンツとして登録する登録指示をユーザから受け付ける第１のオブジェクトを表示し、
前記登録する処理は、前記スクリーンショットの撮影イベントを検出したときに加えて、前記第１のオブジェクトを介して前記登録指示を受け付けたときに、前記個別表示されている特定コンテンツを特定可能な情報を前記お気に入りのコンテンツとして登録する、
請求項１又は２のプログラム。
【請求項４】
前記第１のオブジェクトは、前記コンテンツの前記お気に入りのコンテンツとしての登録の有無を示す請求項３のプログラム。
【請求項５】
前記一覧表示又は個別表示する処理は、前記お気に入りのコンテンツとして登録されている登録コンテンツ数を示す第２のオブジェクトを表示する請求項１ないし４何れかのプログラム。
【請求項６】
前記登録する処理は、所定の視覚効果を伴って前記第２のオブジェクトが示す前記登録コンテンツ数を増加させる請求項５のプログラム。
【請求項７】
コンテンツを表示するためのコンテンツ表示装置であって、
第１のプログラムの実行に応じて、
複数のコンテンツを一覧表示する処理と、
前記複数のコンテンツの中からユーザによって特定された特定コンテンツを個別表示する処理と、
前記特定コンテンツが個別表示されている状態で前記第１のプログラムとは異なる第２のプログラムを介してスクリーンショットの撮影イベントを検出したときに、前記個別表示されている特定コンテンツを特定可能な情報をお気に入りのコンテンツとして登録する処理と、を実行する、
コンテンツ表示装置。
【請求項８】
第１のプログラムを実行するコンピュータによって、コンテンツを表示するためのコンテンツ表示方法であって、
複数のコンテンツを一覧表示する工程と、
前記複数のコンテンツの中からユーザによって特定された特定コンテンツを個別表示する工程と、
前記特定コンテンツが個別表示されている状態で前記第１のプログラムとは異なる第２のプログラムを介してスクリーンショットの撮影イベントを検出したときに、前記個別表示されている特定コンテンツを特定可能な情報をお気に入りのコンテンツとして登録する工程と、を備える、
コンテンツ表示方法。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
コンテンツを表示するためのプログラムであって、
コンピュータに、
複数のコンテンツを一覧表示する処理と、
前記複数のコンテンツの中からユーザによって特定された特定コンテンツを個別表示する処理と、
前記複数のコンテンツを一覧表示しているのか又は前記特定コンテンツを個別表示しているのかを判断し、前記特定コンテンツが個別表示されている状態で前記プログラムとは異なる他のプログラムを介してスクリーンショットの撮影イベントを検出したときに、前記個別表示されている特定コンテンツを特定可能な情報をお気に入りのコンテンツとして登録する処理と、を実行させる、
プログラム。
【請求項２】
前記他のプログラムは、オペレーティングシステムを含む請求項１のプログラム。
【請求項３】
前記個別表示する処理は、前記お気に入りのコンテンツとして登録する登録指示をユーザから受け付ける第１のオブジェクトを表示し、
前記登録する処理は、前記スクリーンショットの撮影イベントを検出したときに加えて、前記第１のオブジェクトを介して前記登録指示を受け付けたときに、前記個別表示されている特定コンテンツを特定可能な情報を前記お気に入りのコンテンツとして登録する、
請求項１又は２のプログラム。
【請求項４】
前記第１のオブジェクトは、前記コンテンツの前記お気に入りのコンテンツとしての登録の有無を示す請求項３のプログラム。
【請求項５】
前記一覧表示又は個別表示する処理は、前記お気に入りのコンテンツとして登録されている登録コンテンツ数を示す第２のオブジェクトを表示する請求項１ないし４何れかのプログラム。
【請求項６】
前記登録する処理は、所定の視覚効果を伴って前記第２のオブジェクトが示す前記登録コンテンツ数を増加させる請求項５のプログラム。
【請求項７】
コンテンツを表示するためのコンテンツ表示装置であって、
第１のプログラムの実行に応じて、
複数のコンテンツを一覧表示する処理と、
前記複数のコンテンツの中からユーザによって特定された特定コンテンツを個別表示する処理と、
前記複数のコンテンツを一覧表示しているのか又は前記特定コンテンツを個別表示しているのかを判断し、前記特定コンテンツが個別表示されている状態で前記第１のプログラムとは異なる第２のプログラムを介してスクリーンショットの撮影イベントを検出したときに、前記個別表示されている特定コンテンツを特定可能な情報をお気に入りのコンテンツとして登録する処理と、を実行する、
コンテンツ表示装置。
【請求項８】
第１のプログラムを実行するコンピュータによって、コンテンツを表示するためのコンテンツ表示方法であって、
複数のコンテンツを一覧表示する工程と、
前記複数のコンテンツの中からユーザによって特定された特定コンテンツを個別表示する工程と、
前記複数のコンテンツを一覧表示しているのか又は前記特定コンテンツを個別表示しているのかを判断し、前記特定コンテンツが個別表示されている状態で前記第１のプログラムとは異なる第２のプログラムを介してスクリーンショットの撮影イベントを検出したときに、前記個別表示されている特定コンテンツを特定可能な情報をお気に入りのコンテンツとして登録する工程と、を備える、
コンテンツ表示方法。